(57)【要約】【課題】不法デジタルコピーディスクの再生を防ぐことができる光ディスク再生装置及び再生制御方法を提供すること。【解決手段】再生中のデジタルオーディオコンテンツ単位に暗号を検出し、ウォブル検出装置によりディスクのウォブルを検出し、暗号化されている場合はウォブル検出結果に基いてウォブルの有無を判定し、ウォブルがある場合には再生を停止し、ウォブルがない場合には、デジタルＣＣＩのコピー制御管理情報に基づいて再生制御を行い、一方、暗号化されていない場合は、ウォブル有無にかかわらずウォーターマークＣＣＩのコピー制御管理情報に基づいて再生制御を行い、不正規なディスク再生を排除する。【選択図】　図１
2004005940.tif 000002
【特許請求の範囲】
【請求項１】
電子透かしコピー制御管理情報とデジタルコピー制御管理情報の少なくとも一方のコピー制御管理情報を含んだデジタルオーディオデータを光ディスクから再生する光ディスク再生装置において、
再生中のデジタルオーディオコンテンツ単位に暗号を検出する暗号検出部と、
前記光ディスクに形成されたウォブルを検出するウォブル検出部と、
前記暗号検出部の検出結果と前記ウォブル検出部の検出結果に基いて前記再生動作を制御する制御部とを備え、
前記制御部は、前記コンテンツが暗号化されている場合には、前記光ディスクのウォブルの有無の判定結果に基いて再生制御を行い、前記ウォブルがある場合には再生動作を停止し、前記ウォブルがない場合には、前記デジタルコピー制御管理情報に基づいて再生制御を行うことを特徴とする光ディスク再生装置。
【請求項２】
前記コンテンツが暗号化されていない場合は、前記ウォブルの有無にかかわらず、前記電子透かしコピー制御管理情報に基づいて前記再生制御を行う請求項１記載の光ディスク再生装置。
【請求項３】
電子透かしコピー制御管理情報とデジタルコピー制御管理情報の少なくとも一方のコピー制御管理情報を含んだデジタルオーディオデータを光ディスクから再生する光ディスク再生制御方法において、
再生中のデジタルオーディオコンテンツ単位に暗号を検出する工程と、
前記光ディスクのウォブルを検出する工程と、
前記暗号検出工程での検出結果と前記ウォブル検出工程での検出結果に基いて前記再生動作を制御する工程とを有し、
前記再生動作制御工程は、前記コンテンツが暗号化されている場合には、前記光ディスクのウォブルの有無を判定し、前記ウォブルがある場合には再生動作を停止し、前記ウォブルがない場合には、前記デジタルコピー制御管理情報に基づいて再生制御を行うことを特徴とする光ディスク再生制御方法。
【請求項４】
前記コンテンツが暗号化されていない場合は、前記ウォブルの有無にかかわらず、前記電子透かしコピー制御管理情報に基づいて前記再生制御を行う請求項３記載の光ディスク再生制御方法。
【発明の詳細な説明】
【０００１】
【発明の属する技術分野】
本発明は、デジタルオーディオデータを含むマルチメディアデータが記録されたシステムストリームの再生制御に関し、特に、コンテンツの不法デジタルコピーディスクの再生を防止する光ディスク再生装置に関するものである。
【０００２】
【従来の技術】
近年、従来のレーザーディスクやビデオＣＤに代わって、記録容量が飛躍的に向上したＤＶＤ−ＶｉｄｅｏやＤＶＤ−Ａｕｄｉｏが普及し始め、多くの映画タイトルや音楽タイトルが発売されている。これらＤＶＤ−Ｖｉｄｅｏ規格ディスクやＤＶＤ−Ａｕｄｉｏ規格ディスクは、高品位なデジタルオーディオデータあるいはデジタルビデオデータが記録されているが、高品位なデジタルデータであるため不正規なデジタルコピーを恐れて、システムストリームにデジタルコピー制御管理情報（以後、デジタルＣＣＩと略称する）と電子透かしコピー制御管理情報（以後、ウォーターマークまたはＷＭＣＣＩと略称する）の両者を含めて、コピー制御するようになっている。
【０００３】
ＡＶ機器には、接続機器認証が可能でかつ転送データを暗号化したセキュアなデジタルＩ／Ｆ（例えば、ＩＥＥＥ１３９４Ｉ／Ｆなど）だけでなく、接続機器認証が不可能でかつ転送データを暗号化していないノンセキュアなデジタルＩ／Ｆ（例えば、ＩＥＣ６０９５８など）も有している。現状の市場では、セキュアなＩ／Ｆを有するデジタルレコーダは少なく、ウォーターマーク検出装置を持たない過去のノンセキュアなデジタルＩ／Ｆを有するデジタルレコーダが大半を占めている。このように、ＡＶ再生機器はノンセキュアなデジタルＩ／Ｆも有しているのが現状である。この種のノンセキュアなデジタルＩ／Ｆは、接続機器認証ができないため、接続先が改竄されたレコーダでもデジタルデータを転送し、かつ転送上の特別な暗号化もかけないので、データセキュリティーに欠ける所がある。
【０００４】
一方、インターネットの普及はめざましいものがあり、様々なウェブサイトがインターネット上に存在する。これらのウェブサイトには、ユーザーからＡＶコンテンツをノンセキュアなデジタルＩ／Ｆとパソコン（以下ＰＣと呼ぶ）を通じてアップロードしてもらい、そのＡＶコンテンツを無償で他のユーザーにＰＣとノンセキュアなデジタルＩ／Ｆを通じてダウンロードするサービスをするものもある。もし、ユーザーが自分のＡＶコンテンツをデジタルデータとしてそのようなウェブサイトにアップロードすれば、コンテンツプロバイダーの意志に反して大量の不正デジタルコピーＡＶコンテンツができることにつながり、映画タイトルや音楽タイトルを制作し、供給するコンテンツプロバイダーは、大量に不正コピーディスクが市場に出回ると大きな損害を被ることになる。
【０００５】
従来のコピー制御管理システムにおいては、システムストリームにデジタルＣＣＩとウォーターマークＣＣＩの両者を挿入し、ウォーターマークＣＣＩ検出装置を持つレコーダにおいて不正なデジタルコピー及びアナログコピーを防止していた。このような従来のシステムストリームのデータ構造例を図９に示す。同図に示すようにデジタルＣＣＩはＡｕｄｉｏ＿ＰａｃｋのＨｅａｄｅｒデータに存在し、ウォーターマークＣＣＩはＡｕｄｉｏ＿ＰａｃｋのＡｕｄｉｏ＿ｄａｔａ部に含まれる。
【０００６】
ところが、このシステムにおいても、オリジナルディスクのコンテンツデータだけでなく、ディスク全体のデータを暗号データも含めてすべてそのままデジタルコピーすると、従来の光ディスク再生装置で再生可能な無数のコピーディスクが作成できてしまう。さらにそれらの無数のコピーディスクを従来の光ディスク再生装置で再生すると、ノンセキュアなデジタルＩ／Ｆを通じて、無数のデジタルコピーを可能にするという問題点を有していた。
【０００７】
例えば、特許文献１に開示の光ディスク再生装置では、デジタルＣＣＩとウォーターマークＣＣＩとを組み合わせたシステムにおいて、コンテンツ単位ごとに含まれているデジタルＣＣＩが暗号化されているときは、デジタルＣＣＩにしたがって再生制御を行い、デジタルＣＣＩが暗号化されていない場合は、ウォーターマークＣＣＩにしたがって再生制御を行う光ディスク再生装置が開示されている。
【０００８】
この従来の光ディスク再生装置におけるコンテンツコピーに対する再生動作について、図１０と図１１を用いて説明する。記録ピットが形成された市販プレスディスクをオリジナルディスクとして使用し、コンテンツは暗号化されていて、デジタルコピー制御管理情報（デジタルＣＣＩ）が制限付コピー可、ウォーターマークコピー制御管理情報（ウォーターマークＣＣＩ）がコピー禁止に設定されていたとする。このオリジナルディスクを用いて、そのコンテンツを不正規レコーダでデジタルコピーして無数のコピーディスクを作成する。図１０の（ａ）に示すように、このコピーディスクは、暗号が解読された形式で記録されるので暗号化されておらず、デジタルＣＣＩが制限付コピー可、ウォーターマークＣＣＩがコピー禁止に設定されている。
【０００９】
従来の光ディスク再生装置でこのコピーディスクを再生すると、図１１の（ｂ）に示すような動作パターンに従って再生制御する。すなわち、コンテンツが暗号化されていないので、ウォーターマークＣＣＩの状態（この場合、コピー禁止）に基いて、コピーフリーになっていないことを検知し、不正規なディスクと判断して出力をミュートする。このようにしてコンテンツをデジタルコピーした不正規なコピーディスクを排除することができる。なお、図１１の（ａ）は暗号化有りの場合の再生制御を示す。
【００１０】
一方、このオリジナルディスクを用いて、そのコンテンツを不正規レコーダでアナログコピーして無数のコピーディスクを作成する場合を述べる。図１０の（ｂ）に示すように、このコピーディスクは、暗号が解読された形式で記録されるので暗号化されておらず、アナログコピーしているのでデジタルＣＣＩは存在せず、ウォーターマークＣＣＩがコピー禁止の状態に設定されている。従来の光ディスク再生装置でこのコピーディスクを再生すると、図１１（ｂ）に示すような再生制御に従って再生制御するので、不正規なディスクと判断して出力をミュートする。このようにコンテンツをアナログコピーした不正規なコピーディスクについても排除することができる。
【００１１】
一方、例えば、特許文献２に開示の別の従来の光ディスク再生装置では、情報トラックを形成する多数の情報ピットの一部をウォブル状に配置した特異ピット列を有する光ディスクを再生する光ディスク再生装置において、特異ピット列の有無の検出結果に応じて光ディスクがコピーされたものか否かを判別し、不正規の光ディスクを用いてコピーした場合は、特異ピット列を検出することで不正なコピーディスクを判別することが開示されている。
【００１２】
【特許文献１】
特開２００１−２２９６１２号公報（図１〜図６）
【特許文献２】
特開平７−２７２２８２号公報（段落００４１、図１）
【００１３】
【発明が解決しようとする課題】
しかしながら、上述のような特許文献１に開示の従来構成では、光ディスクの全てのデータをそのまま丸ごとコピーされてしまうと、同一世代の不正なコピーディスクが無限に作成可能となってしまう。即ち、ディスクのすべてのデータを不正規にビット・バイ・ビットで丸ごとコピーして作成されると、従来の光ディスク再生装置では不正規なディスクとして排除することができなかった。
【００１４】
上記従来の再生制御の課題について図１２を参照して説明する。オリジナルディスクを用いてそのコンテンツも含めたすべてのデジタルデータを暗号化されたまま不正規レコーダでデジタルコピーして無数のコピーディスクを作成する場合、このコピーディスクは暗号化されており、デジタルＣＣＩが制限付コピー可、ウォーターマークＣＣＩはコピー禁止に設定されている。従来の光ディスク再生装置でこのコピーディスクを再生すると、図１１の（ａ）に示すような再生制御に従って再生するので、正規なディスクと判断して通常に再生動作をする。このようにディスクのすべてのデータをそのままコピーして作成されると、従来の光ディスク再生装置では不正規なディスクとして排除することができないという課題を有していた。
【００１５】
このように、従来はデジタルＣＣＩデータとウォーターマークＣＣＩデータを組み合わせて不正規コピーディスクを検出してきたが、暗号復号等のデコード処理以前のオリジナルディスクのすべてのデジタルデータをそのままコピーしてディスクを作成されると、デジタルデータ上は不正規であることを検出することができない。その結果、プレス製作されたオリジナルディスクから１回すべてのデジタルデータをコピーしてしまえば、それ以降は同一世代のコピーディスクが無限に作成可能になるという問題がある。映画タイトルや音楽タイトルを制作し、供給するコンテンツプロバイダーが最も恐れるのは、今後さらに高品位になるデジタルＡＶコンテンツデータが品位を落とすことなく、不法に大量デジタルコピーされることである。
【００１６】
一方、特許文献２に開示の従来構成では、前述のような特異ピットを備えたオリジナルディスクを作成するには、特異ピット列を付加して記録するための特殊な装置が新たに必要であり、高額な設備投資費用が必要となる。
【００１７】
本発明はこのような従来の問題点に鑑みてなされたものであって、前述の課題を解決するために本発明の光ディスク再生装置では、デジタルＣＣＩデータとウォーターマークＣＣＩデータ以外にウォブルの検出を組み合わせて管理することにより、不法デジタルコピーディスクの再生を防ぐことができる光ディスク再生装置及び再生制御方法を提供することを目的とする。
【００１８】
【課題を解決するための手段】
上記目的を実現するために、本発明の第１の態様による光ディスク再生装置は、電子透かしコピー制御管理情報とデジタルコピー制御管理情報の少なくとも一方のコピー制御管理情報を含んだデジタルオーディオデータを光ディスクから再生する。光ディスク再生装置は、再生中のデジタルオーディオコンテンツ単位に暗号を検出する暗号検出部と、光ディスクに形成されたウォブルを検出するウォブル検出部と、暗号検出部の検出結果とウォブル検出部の検出結果に基いて再生動作を制御する制御部とを備える。制御部は、コンテンツが暗号化されている場合には、光ディスクのウォブルの有無の判定結果に基いて再生制御を行い、ウォブルがある場合には再生動作を停止し、ウォブルがない場合には、デジタルコピー制御管理情報に基づいて再生制御を行うことを特徴とする。
【００１９】
上記構成において、コンテンツが暗号化されていない場合は、ウォブルの有無にかかわらず、電子透かしコピー制御管理情報に基づいて再生制御を行う。
【００２０】
本発明の第２の態様による光ディスク再生制御方法は、電子透かしコピー制御管理情報とデジタルコピー制御管理情報の少なくとも一方のコピー制御管理情報を含んだデジタルオーディオデータを光ディスクから再生し、再生中のデジタルオーディオコンテンツ単位に暗号を検出する工程と、光ディスクのウォブルを検出する工程と、暗号検出工程での検出結果とウォブル検出工程での検出結果に基いて前記再生動作を制御する工程とを有し、再生動作制御工程は、コンテンツが暗号化されている場合には、光ディスクのウォブルの有無を判定し、ウォブルがある場合には再生動作を停止し、ウォブルがない場合には、デジタルコピー制御管理情報に基づいて再生制御を行うことを特徴とする。
【００２１】
【発明の実施の形態】
本発明の実施の形態についての説明に先立ち、留意点として、本実施の形態では、ディスクに記録されるコンテンツとしてはオーディオデータに限定した場合について説明するものであり、著作権保護されるコンテンツは原則として暗号化されてディスクに記録されることを前提としている。また、デジタルＣＣＩは暗号化されていない場合は改竄されやすく、アナログコピーを行うとデジタルＣＣＩは存在しなくなる。これは、ビデオデータでは垂直ブランキング等、実データではない領域にデジタルＣＣＩを埋め込むことが可能であり、アナログコピーしてもデジタルＣＣＩが保存される。これに対し、オーディオデータは実データの連続であり、垂直ブランキングのような領域が存在しない。したがって、オーディオデータにおいては、アナログコピーを行ってデジタルＣＣＩを保存することは困難である。
【００２２】
以下、本発明の実施の形態について図１乃至図８を用いて説明する。なお、添付の各図面において、同様の構成要素については同一の参照番号で示すとともに、重複する説明については省略するものとする。
【００２３】
本実施の形態は、記録可能型ディスクに必ず存在するウォブルの検出を不正規コピーの判別に用いることを特徴とする。ウォブルは記録可能型ディスクのグルーブ部を正弦波状に蛇行させたもので、市販のプレス製作されたオリジナルディスクには存在しない。なお、ウォブルの検出方法及び手段については後述する。
【００２４】
図１は本発明の実施の形態における光ディスク再生装置の構成を示すブロック図である。図１において、光ディスク再生装置は、ディスク１を回転させるスピンドルモータ２、ディスク１に記録された信号を読み取る光ピックアップ３、スピンドルモータ２と光ピックアップ３を駆動し制御する機構制御部４、光ピックアップ３の出力からデータ打ち抜きや誤り訂正を行ってシステムストリームデジタル信号を抽出し、機構制御部４に制御信号を与える信号処理部５、システムストリームから暗号を解読する暗号復号装置６，暗号復号装置６によって暗号が復号されたシステムストリームからコピー制御管理情報を読み出すデジタルＣＣＩ復号装置７、暗号復号装置６によって暗号が復号されたシステムストリームからデジタルオーディオ信号を抽出してデコードするＡＶ復号装置８を備える。
【００２５】
さらに、光ディスク再生装置は、ＡＶ復号装置８の出力デジタルオーディオ信号をアナログオーディオ信号に変換するＤ／Ａコンバータ１１、デジタルオーディオ信号を規定のノンセキュアな出力フォーマット（例えば、ＩＥＣ６０９５８など）に変換して出力制御を行うデジタル出力インターフェイス１０、ＡＶ復号装置８の出力のデジタルオーディオ信号からコピー制御管理情報を読み出すウォーターマークＣＣＩ復号装置９、再生装置全体の各動作を制御するシステム制御部１２を備え、更に、光ピックアップ３を介して、ディスク１にあらかじめ記録されたウォブルを検出するウォブル検出装置１３を備えた構成としている。
【００２６】
ウォブル検出装置１３もシステム制御部１２によって動作制御されるとともに、システム制御部１２は、ウォブル検出装置１３からのウォブル有無情報と、デジタルＣＣＩ復号装置７からのデジタルＣＣＩデータと、ウォーターマークＣＣＩ復号装置９からのウォーターマークＣＣＩを読み込んでデジタル出力インターフェイス１０とＤ／Ａコンバータ１１を制御し、また機構制御部４も制御する。
【００２７】
本実施の形態の光ディスク再生装置における不正規コピーディスクに対する再生制御について、図２乃び図３を参照して以下に説明する。ここで、オリジナルディスクとして市販プレスディスクを使用し、コンテンツは暗号化されていてデジタルＣＣＩの状態は制限付コピー可に設定され、ウォーターマークＣＣＩはコピー禁止に設定されていることを前提とする。
【００２８】
先ず、このオリジナルディスクを用いてディスクすべてのデジタルデータを不正規レコーダでデジタルコピーして無数のコピーディスクを作成した場合、このような不正規に作成されたディスク単位コピーディスクは、暗号化されており（暗号有り）、デジタルＣＣＩが制限付コピー可、ウォーターマークＣＣＩがコピー禁止状態とされている。このディスク単位コピーされたデジタルデータはオリジナルディスクのデータと全く同一のものである。本実施の形態による光ディスク再生装置でこのコピーディスクを再生すると、図３に示すような動作パターンに従って再生制御が行われる。即ち、暗号の有無、デジタルＣＣＩ及びウォーターマークＣＣＩの状態、ウォブルの有無等の組合せに基いて再生状態が制御され、再生装置で使用されたディスクの種類が判定される。
【００２９】
ここでは、不正規の丸ごとコピーディスクは暗号化されているので、ウォブル検出を行うことによりウォブルがあることが検出され、不正規なディスクと判断して再生動作を停止する。このように、従来はデジタルＣＣＩとウォーターマークＣＣＩの組み合わせだけで不正規コピーを判別してきたが、本実施の形態では、それらのＣＣＩ以外にウォブル検出を追加することにより、デジタルデータとして全く同一の丸ごとコピーディスクでも不正規なコピーディスクを判別し排除することができる。
【００３０】
次に、ウォブル検出装置１３の具体的な構成及びその動作について図４乃至図７を参照して以下に説明する。図４の（ａ）は市販プレスディスク、（ｂ）は記録可能型ディスクの記録面形状を模式的に示している。プレスディスクと記録可能型ディスクの相違については、プレスディスク（ａ）にはプレス工程で作成されたピット２０のみがあるが、記録可能型ディスク（ｂ）はピット２０が形成されるランド部２１とグルーブ部２２があり、グルーブ部２２には正弦波状に蛇行させたウォブル２３が存在する。一般に市販ディスクはプレス工程によりピットを形成するので、このようなウォブルは存在しない。しかし、記録可能型ディスクにはこのウォブルが必ず存在し、記録時に必要なアドレス情報を記録したり、記録に必要な記録クロックを発生させるために用いられる。
【００３１】
そこで、暗号化されていて、かつ、このウォブルが存在するディスクは不正規なコピーディスクであると判断することができる。不正規コピーディスクと判断した場合、そのエラーメッセージを表示部等に表示する。そして、再生自体を停止することにより不正規コピーディスクが無限に増えても再生できないようにして、不正規コピーディスクを無効化することが可能となる。
【００３２】
図５は、ウォブル検出装置１３の具体的回路構成を示し、光ピックアップ３による４分割出力信号ＶＩＮ１〜４を加算減算器４１で加算減算する。加算減算器４１の出力は可変アンプ４２でゲインアップされてＲＦＤＩＦ信号を生成する。ＲＦＤＩＦ信号はキャパシタ結線の出力信号ＣＷＢＬＯＵＴを生成するとともに、ＲＦＤＩＦ信号はバッファ４３を介してバンドパスフィルタ４４に入力され、バンドパスフィルタ４４で必要な周波数を抜き出す。この抜き出した波形をコンパレータ４５で２値化して２値化信号ＷＢＬＯを生成する。図６は、ウォブル有りの場合の上記出力信号ＣＷＢＬＯＵＴと２値化信号ＷＢＬＯの波形例を模式的に示した図である。
【００３３】
ここで、ウォブル検出アルゴリズムとしては、ウォブル周波数は各記録可能媒体（例えば、ＤＶＤ−Ｒ／ＲＷ，ＤＶＤ＋Ｒ／＋ＲＷ）で固有である。また、コンパレータ４５で２値化された信号の周波数を測定し、その周波数に対応する値をカウントしている。このカウント値が所定の測定時間内で閾値を超えると、ウォブル有りとみなし、記録可能媒体であると判定する。
【００３４】
なお、図４では市販プレスディスクと記録可能型ディスクの記録面形状を模式的に示して説明したが、具体的には、図７に示すように、例えば、市販プレスディスクとしては図７の（ａ）に示すような再生専用ＤＶＤの物理フォーマットが使用される。記録可能型ディスクとしては、例えば、図７の（ｂ）に示すウォブルグルーブ方式のＤＶＤ−Ｒ／ＲＷの物理フォーマット、図７の（ｃ）に示すウォブルの蛇行が高周波のウォブルグルーブ方式のＤＶＤ＋ＲＷの物理フォーマット、図７の（ｄ）に示すウォブル・ランドグルーブ方式のＤＶＤ−ＲＡＭの物理フォーマット等が使用可能である。
【００３５】
図８は本実施の形態の光ディスク再生方法の再生動作フローである。従来の再生動作と異なる本実施の形態の特徴部分は、コンテンツが暗号化されている場合にウォブルを検出し、ウォブルがある場合に再生停止する工程を組込んだことである。
【００３６】
図８を参照して、光ディスク再生方法の動作を説明する。まず再生中のデジタルオーディオコンテンツ単位に暗号を検出する（ステップ１）。コンテンツが暗号化されている場合には（ステップ１でＹ）、ディスクのウォブル検出によりウォブルの有無を判定する（ステップ２）。ウォブルがある場合には（ステップ２でＹ）、暗号化されているにもかかわらずプレスディスクには存在しないはずのウォブル信号があるので、プレスディスクから不正にコピーされたディスクと判定して再生を停止する（ステップ１３）。これは図３の（ｂ）の場合に相当する。
【００３７】
一方ウォブルがない場合には（ステップ２でＮ）、デジタルＣＣＩ検出を行い、デジタルＣＣＩデータがある場合には（ステップ３でＹ）、デジタルＣＣＩがコピーフリーに設定されているかを判断し、コピーフリーに設定されていない場合は（ステップ４でＮ）、著作権を主張しているので通常ディスクと判断して通常再生動作を行う（ステップ１４）。デジタルＣＣＩがコピーフリーに設定されている場合は（ステップ４でＹ）、著作権が主張されていてデジタルＣＣＩがコピーフリーという設定はありえないので、デジタル出力及びアナログ出力をミュートする（ステップ５）。これは図３の（ａ）の場合に相当する。また、ステップ３でデジタルＣＣＩがない（Ｎ）場合には、暗号化なしの場合と同じ処理工程に入り、ステップ８でウォーターマークＣＣＩの有無が判定される。
【００３８】
コンテンツが暗号化されていない場合には（ステップ１でＮ）、ウォブルの有無にかかわらず、ステップ８でウォーターマークＣＣＩの有無を検出し、ウォーターマークがある場合には（ステップ８でＹ）、ウォーターマークＣＣＩがコピーフリーに設定されているかを判断し、コピーフリーに設定されている場合（ステップ９でＹ）、及びウォーターマークがない場合には（ステップ８でＮ）、通常再生動作を行う（ステップ１１）。ウォーターマークＣＣＩがコピーフリーでない場合には（ステップ９でＮ）、不正なディスクと判断してデジタル出力及びアナログ出力をミュートする（ステップ１０）。これは図３の（ｃ）の場合に相当する。
【００３９】
上記動作を再生単位に行い、再生単位の終端でも全体再生の終端でもない場合は（ステップ６でＮ、ステップ７でＮ）、デジタル出力とアナログ出力をミュート解除して再設定する。一方、全体再生の終端である場合は（ステップ７でＹ）の場合は、動作を終了する。
【００４０】
【発明の効果】
以上のように本発明によれば、デジタルＣＣＩデータとウォーターマークＣＣＩデータ以外にウォブル検出装置を組み合わせて管理することにより、不法デジタルコピーディスク再生を防ぐことができる。すなわち、従来の光ディスク再生装置においては、ＰＣなどを用いてディスク全体をそのままデジタルコピーして記録可能型ディスクに不正規なコピーディスクを製作すると、正規ディスクと認識して通常再生をしていたが、本発明の光ディスク再生装置においては、ウォブル検出装置を付加することによりディスク全体をそのままデジタルコピーした不正規な記録可能型ディスクを判別して再生排除することができる。
【図面の簡単な説明】
【図１】本発明の実施の形態に係る光ディスク再生装置のブロック構成図。
【図２】本発明の実施の形態に係る光ディスクのデータ全体のコピーに対する再生制御を説明する図。
【図３】本発明の再生制御の動作パターンを示す図。
【図４】記録可能型ディスクとプレスディスクの物理フォーマットの相違を説明する模式図。
【図５】本発明の実施の形態に用いられるウォブル検出装置の回路構成図。
【図６】図５に示すウォブル検出装置のウォブル検出波形の模式図。
【図７】本発明の実施の形態に用いられる光ディスクの物理フォーマットの具体例を示す図。
【図８】本発明の実施の形態に係る光ディスク再生制御のフロー図。
【図９】データ構造及びコピー制御管理情報の位置を表した図。
【図１０】従来の光ディスク再生制御の説明図。
【図１１】従来の再生制御の動作パターンを示す図。
【図１２】従来の再生制御の課題を説明する図。
【符号の説明】
１　市販プレスディスク
２　スピンドルモータ
３　光ピックアップ
４　機構制御部
５　信号処理部
６　暗号復号装置
７　デジタルＣＣＩ復号装置
８　ＡＶ復号装置
９　ウォーターマークＣＣＩ復号装置
１０　デジタル出力インターフェイス
１１　ＤＡコンバータ
１２　システム制御部
１３　ウォブル検出装置
【図１】
2004005940.tif 000003
【図２】
2004005940.tif 000004
【図３】
2004005940.tif 000005
【図４】
2004005940.tif 000006
【図５】
2004005940.tif 000007
【図６】
2004005940.tif 000008
【図７】
2004005940.tif 000009
【図８】
2004005940.tif 000010
【図９】
2004005940.tif 000011
【図１０】
2004005940.tif 000012
【図１１】
2004005940.tif 000013
【図１２】
2004005940.tif 000014